(57)【要約】【課題】卓上や床に置いて使用しても天井付近にまで加湿空気を効率よく送り届け、部屋全体を素早く均一に加湿することを実現できる加湿装置および加湿機能付空気清浄装置を提供することを目的とする。【解決手段】加湿装置１１は、下方に吸込口１２を設けた筐体１３内に、羽根車１４と、モータ１５で構成された高圧空気発生手段１６と、高圧空気を上方に吹出すための環形状の吹出口１７と、高圧空気を羽根車１４から吹出口１７に導く第一風路１８と、吹出口１７から吹出す空気に誘引されて空気を吸込む複数の誘引空気吸込口１９と、誘引空気吸込口１９に吸込まれた空気を混合する誘引空気混合部２０と、誘引された空気を上方に吹出す誘引空気吹出口２１と、誘引空気吸込口１９と誘引空気混合部２０と誘引空気吹出口２１を連通する第二風路２２と、吸込口１２と羽根車１４の間に設けた加湿手段２３とを備える。【選択図】図２
2014142128.tif 000002
【特許請求の範囲】
【請求項１】
下方に空気を取り入れる吸込口を設けた筐体内に、高圧空気を発生するための羽根車と前記羽根車を駆動するためのモータで構成された高圧空気発生手段と、高圧空気を上方に吹出すための環形状の吹出口と、高圧空気を前記羽根車から前記吹出口に導く第一風路と、前記吹出口から吹出す空気に誘引されて空気を吸込む複数の誘引空気吸込口と、複数の前記誘引空気吸込口に吸込まれた空気を混合する誘引空気混合部と、誘引された空気を上方に吹出す誘引空気吹出口と、前記誘引空気吸込口と前記誘引空気混合部と前記誘引空気吹出口を連通する第二風路と、前記吸込口と前記羽根車の間に設けた加湿手段とを備えたことを特徴とする加湿装置。
【請求項２】
加湿手段が気化フィルタと、水を気化フィルタに供給する加湿トレイであることを特徴とする請求項１に記載の加湿装置。
【請求項３】
複数の誘引空気吸込口が筐体の同一高さの外周面に等間隔で備えられたことを特徴とする請求項１または２に記載の加湿装置。
【請求項４】
筐体が外壁と内壁の二重壁を備え、第二風路は第一風路を貫通壁で貫通するように備えられ、前記第一風路は前記外壁と前記内壁と前記貫通壁で構成され、前記第二風路は前記内壁と前記貫通壁で構成され、前記誘引空気吹出口は前記内壁で構成されていることを特徴とする請求項１乃至３いずれかに記載の加湿装置。
【請求項５】
請求項２乃至４いずれかに記載の加湿装置の気化フィルタの上流側に空気浄化フィルタを設けたことを特徴とする加湿機能付空気清浄装置。
【請求項６】
空気浄化フィルタが、集塵フィルタまたは／および脱臭フィルタを含むことを特徴とする請求項５に記載の加湿機能付空気清浄装置。
【発明の詳細な説明】
【技術分野】
【０００１】
本発明は、乾燥した室内を加湿するための加湿装置および加湿機能付空気清浄装置に関するものである。
【背景技術】
【０００２】
従来、この種の加湿装置は、気化フィルタに空気を接触させて加湿を行うものが知られている（例えば、特許文献１参照）。
【０００３】
以下、その加湿装置について図５を参照しながら説明する。
【０００４】
図５に示すように、加湿装置１０１は、加湿装置１０１の吸込口１０２から吸込んだ空気を上面吹出口１０３、側面吹出口１０４に送る送風手段１０５と、前記送風手段１０５により送られた空気を加湿する気化フィルタ１０６とを備え、前記上面吹出口１０３、側面吹出口１０４は、それぞれ前記上面吹出口１０３は加湿装置１０１の上面に、前記側面吹出口１０４は加湿装置１０１の側面に形成されている。送風手段１０５によって吸込口１０２から吸い込んだ空気を、水を吸上げ湿潤した気化フィルタ１０６に通過させ、前記上面吹出口１０３、側面吹出口１０４から加湿空気を得るものである。
【先行技術文献】
【特許文献】
【０００５】
【特許文献１】特開２００８−０６４４３１号公報
【発明の概要】
【発明が解決しようとする課題】
【０００６】
このような従来の加湿装置では、加湿空気を吹出す吹出口を加湿装置の上面と側面とに夫々設けているので、加湿装置の上面から加湿空気を吹出すのみならず、加湿装置の側面からも加湿空気を吹出すので、加湿装置の周囲の湿度を所望の湿度に上げることができる。しかし、冬場はエアコンなどの暖房器具を使用することが多く、その場合には部屋の天井付近と床付近では温度差が生じ、卓上や床に置いて使用する従来の加湿装置では床付近の加湿はすばやくできるものの、天井付近には吹出した加湿空気が届かないため加湿に時間がかかり、部屋全体を均一に加湿するのに長い時間がかかるという課題があった。
【０００７】
そこで本発明は、上記従来の課題を解決するものであり、卓上や床に置いて使用しても天井付近にまで加湿空気を効率よく送り届け、部屋全体を素早く均一に加湿可能な加湿装置および加湿機能付空気清浄装置を提供することを目的とする。
【課題を解決するための手段】
【０００８】
そして、この目的を達成するために、本発明は、下方に空気を取り入れる吸込口を設けた筐体内に、高圧空気を発生するための羽根車と前記羽根車を駆動するためのモータで構成された高圧空気発生手段と、高圧空気を上方に吹出すための環形状の吹出口と、高圧空気を前記羽根車から前記吹出口に導く第一風路と、前記吹出口から吹出す空気に誘引されて空気を吸込む複数の誘引空気吸込口と、複数の前記誘引空気吸込口に吸込まれた空気を混合する誘引空気混合部と、誘引された空気を上方に吹出す誘引空気吹出口と、前記誘引空気吸込口と前記誘引空気混合部と前記誘引空気吹出口を連通する第二風路と、前記吸込口と前記羽根車の間に設けた加湿手段とを備えたことを特徴とするものであり、これにより所期の目的を達成するものである。
【発明の効果】
【０００９】
本発明によれば、下方に空気を取り入れる吸込口を設けた筐体内に、高圧空気を発生するための羽根車と前記羽根車を駆動するためのモータで構成された高圧空気発生手段と、高圧空気を上方に吹出すための環形状の吹出口と、高圧空気を前記羽根車から前記吹出口に導く第一風路と、前記吹出口から吹出す空気に誘引されて空気を吸込む複数の誘引空気吸込口と、複数の前記誘引空気吸込口に吸込まれた空気を混合する誘引空気混合部と、誘引された空気を上方に吹出す誘引空気吹出口と、前記誘引空気吸込口と前記誘引空気混合部と前記誘引空気吹出口を連通する第二風路と、前記吸込口と前記羽根車の間に設けた加湿手段とを備えたことを特徴とする加湿装置としたことにより、卓上や床に置いて使用しても天井付近にまで加湿空気を効率よく送り届け、部屋全体を素早く均一に加湿することを実現できるものである。
【図面の簡単な説明】
【００１０】
【図１】本発明の実施の形態１の加湿装置の斜視図
【図２】本発明の実施の形態１の加湿装置の断面を示す構成図
【図３】本発明の実施の形態１の加湿装置の分解斜視図
【図４】本発明の実施の形態２の加湿機能付空気清浄装置の分解斜視図
【図５】従来技術の一例を示す断面を示す構成図
【発明を実施するための形態】
【００１１】
本発明の請求項１記載の加湿装置は、下方に空気を取り入れる吸込口を設けた筐体内に、高圧空気を発生するための羽根車と前記羽根車を駆動するためのモータで構成された高圧空気発生手段と、高圧空気を上方に吹出すための環形状の吹出口と、高圧空気を前記羽根車から前記吹出口に導く第一風路と、前記吹出口から吹出す空気に誘引されて空気を吸込む複数の誘引空気吸込口と、複数の前記誘引空気吸込口に吸込まれた空気を混合する誘引空気混合部と、誘引された空気を上方に吹出す誘引空気吹出口と、前記誘引空気吸込口と前記誘引空気混合部と前記誘引空気吹出口を連通する第二風路と、前記吸込口と前記羽根車の間に設けた加湿手段とを備えたことを特徴とするものである。ここで、高圧空気とは大気圧以上、大気圧プラス１ｋＰａ以下の空気を示すものとする。
【００１２】
これにより、複数の誘引空気吸込口から誘引された空気は、誘引空気混合部で混合され、誘引空気吹出口の方向に流れを変更された状態で誘引空気吹出口からまとまった状態で吹出されるため、吹出された空気は中心部にコア領域が形成されるため直進性に優れる。
【００１３】
そして、遠方まで風速の減衰が少なく到達する気流を効率よく生み出すことができるため、卓上や床に置いて使用しても天井付近にまで加湿空気を効率よく送り届け、部屋全体を素早く均一に加湿することを実現できるものである。
【００１４】
ここで、第一風路から吹出される高圧空気は、気化フィルタにより加湿されており加湿装置周囲の空気より比重が大きいため、加湿装置周囲の比重の小さい空気を効率よく巻き込むことができる。これにより、冬場にエアコンなどの暖房器具を使用し、部屋の天井付近と床付近では温度差が生じる場合、加湿装置周囲の冷たい空気も加湿された空気と共に天井付近に送ることができ、部屋全体の温度、湿度共に素早く均一にすることができる。また、誘引空気吸込口を手が入る大きさにすれば、誘引空気吸込口を取手として加湿装置を持ち運ぶことができるため、携帯性に優れる。
【００１５】
また、加湿手段が気化フィルタと、水を気化フィルタに供給する加湿トレイであることを特徴とするもので、高圧空気発生手段により発生させた高圧空気が加湿トレイの水により湿潤した気化フィルタを通過することで加湿が行えるため、高圧空気発生手段以外に電力を消費する手段を設ける必要がなく、省エネで加湿を行うことができる。
【００１６】
また、複数の誘引空気吸込口が筐体の同一高さの外周面に等間隔で備えられたことを特徴とするもので、複数の誘引空気吸込口から誘引された空気は、複数の誘引空気吸込口が軸中心から略放射状に備えられているため、誘引空気混合部の中心部で効率よく混合され、誘引空気吹出口の方向に流れを変更された状態で誘引空気吹出口からまとまって吹出される。これにより、吹出された空気は中心部にコア領域が形成され、直進性に優れ、遠方まで風速の減衰が少なく到達する気流を効率よく生み出すことができ、卓上や床に置いて使用しても天井付近にまで加湿空気を効率よく送り届け、部屋全体を素早く均一に加湿することを実現できる。
【００１７】
また、筐体が外壁と内壁の二重壁を備え、第二風路は第一風路を貫通壁で貫通するように備えられ、前記第一風路は前記外壁と前記内壁と前記貫通壁で構成され、前記第二風路は前記内壁と前記貫通壁で構成され、前記誘引空気吹出口は前記内壁で構成されていることを特徴とするもので、卓上や床に置いて使用しても天井付近にまで加湿空気を効率よく送り届け、部屋全体を素早く均一に加湿することを実現できる。
【００１８】
また、請求項２乃至４いずれかに記載の加湿装置の気化フィルタの上流側に空気浄化フィルタを設けたことを特徴とする加湿機能付空気清浄装置であり、空気浄化フィルタにより浄化された空気を気化フィルタに送ることができるため、気化フィルタが汚染されることを抑制することができ、気化フィルタに菌やカビが繁殖するのを抑制することができる。
【００１９】
さらに、複数の誘引空気吸込口から誘引された空気は、誘引空気混合部で混合され、誘引空気吹出口の方向に流れを変更された状態で誘引空気吹出口からまとまった状態で吹出されるため、吹出された空気は中心部にコア領域が形成されるため直進性に優れ、遠方まで風速の減衰が少なく到達する気流を効率よく生み出すことができる。これにより、卓上や床に置いて使用しても天井付近にまで浄化され、加湿された空気を効率よく送り届け、部屋全体を素早く均一に加湿することを実現できるものである。
【００２０】
また、空気浄化フィルタが、集塵フィルタまたは／および脱臭フィルタを含むことを特徴とするもので、これにより空気浄化フィルタを高圧空気が通過することで、空気中に含まれる塵や菌、カビ、臭気成分を取り除くことができる。
【００２１】
以下、本発明の実施の形態について図面を参照しながら説明する。
【００２２】
（実施の形態１）
図１は加湿装置１１の斜視図、図２は図１の断面Ｘでの断面を示す構成図、図３は加湿装置１１の分解斜視図である。
【００２３】
図１、図２および図３に示すように、加湿装置１１は、下方に空気を取り入れる吸込口１２を設けた筐体１３内に、高圧空気を発生するための羽根車１４と羽根車１４を駆動するためのモータ１５で構成された高圧空気発生手段１６と、高圧空気を上方に吹出すための環形状の吹出口１７と、高圧空気を羽根車１４から吹出口１７に導く第一風路１８（図１、２中の点線矢印）と、吹出口１７から吹出す空気に誘引されて空気を吸込む複数の誘引空気吸込口１９（本実施形態では等間隔に５個）と、複数の誘引空気吸込口１９に吸込まれた空気を混合する誘引空気混合部２０と、誘引された空気を上方に吹出す誘引空気吹出口２１と、誘引空気吸込口１９と誘引空気混合部２０と誘引空気吹出口２１を連通する第二風路２２（図１、２中の実線矢印）と、吸込口１２と羽根車１４の間に設けた加湿手段２３とを備えるものである。ここで、高圧空気とは大気圧以上、大気圧プラス１ｋＰａ以下の空気を示すものとする。
【００２４】
なお、複数の誘引空気吸込口１９の開口面積の合計は、誘引空気吹出口２１の開口面積より大きく、環形状の吹出口１７の開口面積は、誘引空気吹出口２１の開口面積より小さく設けることにより、環形状の吹出口１７から吹出される流速の速い高圧空気により効率よく空気を誘引することができるため望ましい。また、誘引空気吸込口１９の個数は本実施形態では５個としたが、複数あればよく、３個から７個が風路圧損と誘引効果のバランスから好ましい。誘引空気吸込口１９の形状は、特に限定されるものではなく、円形や多角形など自由に選択できるものである。
【００２５】
また、加湿手段２３は気化フィルタ２４と、水を気化フィルタ２４に供給する加湿トレイ２５で構成されており、加湿により加湿トレイ２５の水が減少した際に水を補給するための水タンク２６が筐体１３側面に着脱可能に設けられている。筐体１３側面には水タンク支持枠３０が備えられており、水タンク支持枠３０で形成された枠内に水タンク２６を挿入することで、加湿トレイ２５と水タンク支持枠３０により保持されるため、水タンク２６を定位置に設置できる構成となっている。
【００２６】
本実施形態では加湿手段２３は、気化フィルタ２４と、水を気化フィルタ２４に供給する加湿トレイ２５で構成された気化式として一例を示したが、超音波式や加熱式などでもよい。
【００２７】
なお、本実施形態では水タンク２６を備えた加湿装置１１を示したが、水タンク２６を設けず、加湿トレイ２５に直接給水する仕様であってもよい。
【００２８】
また、本実施形態では筐体１３を円筒形状で表したが、筐体１３の形状としては特にこれに限定されるものではなく、多面体形状（正多面体や切頂多面体）、多角柱形状、有機的なフォルム形状など自由に選択することができる。
【００２９】
また、吹出口１７の環形状とは円に限定されるものではなく、環になっていれば多角形や曲線で構成された形状であってもよい。また環形状は性能に影響が出ない範囲であればリブなどにより部分的に途切れることがあっても問題はない。
【００３０】
また、筐体１３が外壁２７と内壁２８の二重壁を備え、第二風路２２は第一風路１８を貫通壁２９で貫通するように備えられ、第一風路１８は外壁２７と内壁２８と貫通壁２９で構成され、第二風路２２は内壁２８と貫通壁２９で構成され、誘引空気吹出口２１は吹出口１７の内環を構成する内壁２８に囲まれて構成されるものである。
【００３１】
このような構成によれば、吹出口１７から吹出す空気により複数の誘引空気吸込口１９から誘引された空気は、誘引空気混合部２０で混合され、誘引空気吹出口２１の方向に流れを変更された状態で誘引空気吹出口２１からまとまった状態で吹出され、誘引空気吹出口２１から吹出された空気は中心部にコア領域を形成するため直進性に優れ、吹出口１７から吹出された流速の速い高圧空気と合流し、遠方まで風速の減衰が少なく到達する気流を効率よく生み出すことができ。これにより、卓上や床に置いて使用しても天井付近にまで加湿空気を効率よく送り届け、部屋全体を素早く均一に加湿することを実現できるものである。ここで、吹出された空気が中心部にコア領域を形成する、とは、吹出された空気の流速分布が中心部に速い領域を形成する、ことである。
【００３２】
このとき、第一風路１８から吹出される高圧空気は、外壁２７の外側の空気も誘引するものである（図１、２中の破線矢印）。ここで、第一風路１８から吹出される高圧空気は、気化フィルタ２４に加湿されているため加湿装置１１周囲の空気より比重が大きいため、加湿装置１１周囲の比重の小さい空気を効率よく巻き込むことができる。これにより、冬場にエアコンなどの暖房器具を使用し、部屋の天井付近と床付近では温度差が生じる場合、床付近に設置された加湿装置１１周囲の冷たい空気も加湿された空気と共に天井付近に送ることができる、部屋全体の温度、湿度共に素早く均一にすることができる。
【００３３】
また、誘引空気吸込口１９を手が入る大きさにすれば、誘引空気吸込口１９を取手として加湿装置１１を持ち運ぶことができるため、携帯性に優れる。
【００３４】
また、加湿手段２３は気化フィルタ２４と、水を気化フィルタ２４に供給する加湿トレイ２５で構成されており、これにより高圧空気発生手段１６により発生させた高圧空気が加湿トレイ２５の水により湿潤した気化フィルタ２４を通過することで加湿が行えるため、高圧空気発生手段１６以外に電力を消費する手段を設ける必要がなく、省エネで加湿を行うことができる。なお、高圧空気発生手段１６の羽根車１４としては静圧が大きく取れるターボファンやシロッコファンといった遠心ファンが好ましい。本実施形態においては、羽根車１４はターボファンで記載されている。
【００３５】
また、複数の誘引空気吸込口１９は筐体１３の同一高さの外周面に等間隔で（吹出口１７の軸中心から略放射状に）備えられている。そしてその高さは高圧空気発生手段１６と誘引空気吹出口２１との間で高圧空気発生手段１６により近い高さが好ましい。
【００３６】
これにより、複数の誘引空気吸込口１９から誘引された空気は、誘引空気混合部２０の中心部で効率よく混合され、誘引空気吹出口２１の方向に流れを変更された状態で誘引空気吹出口２１からまとまって吹出されるため、吹出された空気は中心部にコア領域が形成されるため直進性に優れ、遠方まで風速の減衰が少なく到達する気流を効率よく生み出すことができ、卓上や床に置いて使用しても天井付近にまで加湿空気を効率よく送り届け、部屋全体を素早く均一に加湿することを実現できる。
【００３７】
（実施の形態２）
図４は加湿機能付空気清浄装置３１の分解斜視図である。
【００３８】
図４において、加湿機能付空気清浄装置３１は図１、図２および図３に示した加湿装置１１の吸込口１２と気化フィルタ２４の間に空気浄化フィルタ３２を設けた構成となっており、図１、図２および図３と同様の構成要素については同一の符号を付し、その詳細な説明は省略する。
【００３９】
ここで、空気浄化フィルタ３２は集塵フィルタまたは／および脱臭フィルタで構成されている。
【００４０】
このような構成によれば、空気浄化フィルタ３２により浄化された空気を気化フィルタ２４に送ることができるため、気化フィルタ２４が汚染されることを抑制することができ、気化フィルタ２４に菌やカビが繁殖するのを抑制することができる。
【００４１】
また、複数の誘引空気吸込口１９から誘引された空気は、誘引空気混合部２０で混合され、誘引空気吹出口２１の方向に流れを変更された状態で誘引空気吹出口２１からまとまった状態で吹出されるため、吹出された空気は中心部にコア領域が形成されるため直進性に優れ、遠方まで風速の減衰が少なく到達する気流を効率よく生み出すことができる。これにより、卓上や床に置いて使用しても天井付近にまで浄化され、加湿された空気を効率よく送り届け、部屋全体を素早く均一に加湿することを実現できるものである。
【００４２】
また、空気浄化フィルタ３２が、集塵フィルタまたは／および脱臭フィルタを含むことで、これにより空気浄化フィルタ３２を高圧空気が通過することで、空気中に含まれる塵や菌、カビ、臭気成分を取り除くことができる。
【産業上の利用可能性】
【００４３】
本発明にかかる加湿装置および加湿機能付空気清浄装置は、卓上や床に置いて使用しても天井付近にまで加湿空気を効率よく送り届け、部屋全体を素早く均一に加湿可能な加湿装置および加湿機能付空気清浄装置を提供できるため、居室内の床、卓上に設置される加湿装置および加湿機能付空気清浄装置などに利用できる。
【符号の説明】
【００４４】
１１  加湿装置
１２  吸込口
１３  筐体
１４  羽根車
１５  モータ
１６  高圧空気発生手段
１７  吹出口
１８  第一風路
１９  誘引空気吸込口
２０  誘引空気混合部
２１  誘引空気吹出口
２２  第二風路
２３  加湿手段
２４  気化フィルタ
２５  加湿トレイ
２６  水タンク
２７  外壁
２８  内壁
２９  貫通壁
３０  水タンク支持枠
３１  加湿機能付空気清浄装置
３２  空気浄化フィルタ
１０１  加湿装置
１０２  吸込口
１０３  上面吹出口
１０４  側面吹出口
１０５  送風手段
１０６  気化フィルタ
【図１】
2014142128.tif 000003
【図２】
2014142128.tif 000004
【図３】
2014142128.tif 000005
【図４】
2014142128.tif 000006
【図５】
2014142128.tif 000007